(57)【特許請求の範囲】
【請求項１】
同調器と、分波器及び変調器を具える分波器−変調器とを具える回路装置であって、前記分波器が、無線周波数入力信号を印加する無線周波数信号入力部と、無線周波数出力信号を供給する無線周波数信号出力部と、前記無線周波数入力信号を前記同調器に印加する第１ラインと、前記変調器から無線周波数出力信号を供給する第２ラインとを有し、前記同調器を、前記無線周波数入力信号を復調することに適合させ、前記変調器を、ベースバンド信号を前記変調器によって供給すべき前記無線周波数出力信号に変換することに適合させ、該回路装置が、前記同調器及び分波器−変調器に関する基準振動を発生する装置を具え、前記装置が、前記同調器及び分波器−変調器に関して共通の少なくとも１個の水晶と、前記同調器及び分波器−変調器に関して共通の位相ロックループとを有する、回路装置において、
前記同調器が、各々の周波数帯の前記無線周波数信号の周波数選択受信、増幅及び／又は周波数変換に関する少なくとも１つの信号処理分枝を具え、前記基準振動を発生する装置（振動発生器）が、各々の信号処理分枝ごとに別個の発振器段を具え、これらの発振器段のうち１つを、前記分波器−変調器に関する基準振動の発生にも使用することを特徴とする回路装置。
【発明の詳細な説明】
【０００１】
【発明の属する技術分野】
本発明は、同調器及び分波器と変調器とを具えている分波器‐変調器を具えた回路装置に関するもので、その装置では前記分波器は、無線周波数入力信号を印加するための無線周波数入力端子と、無線周波数出力信号を供給するための無線周波数信号出力端子と、同調器へ無線周波数入力信号を印加するための第１ライン、及び変調器から無線周波数出力信号を供給するための第２ラインを有し、前記同調器は無線周波数入力信号を復調するように適合され且つ変調器はベースバンド信号を前記の変調器により供給されるべき無線周波数出力信号に変換するように適合されており、且つこの回路装置は前記同調器と分波器‐変調器とのための基準振動を発生するための装置を具えており、前記の装置は同調器と分波器‐変調器とに対して共通である少なくとも１個の水晶結晶板、及び同調器と分波器‐変調器とに対して共通である位相ロックループを有している。
【０００２】
【従来の技術】
そのような回路装置は欧州特許出願第95 200 961.1号に記載されている。前記の出願に記載されているこの回路装置の目的は、同調器と分波器‐変調器との双方を具えている回路装置に対する少数の構成要素の使用である。特に少数の構成要素を有する装置は分波器内の変調器と同調器との双方のために、単一発振器段を有する唯一の振動発生器を使用する。
【０００３】
異なる送信機に対する同調器を同調するために、同調器内のフィルタ段の調節と発振器段の調節との同期化が必要であり、そのことが、厳密な要求が信号処理の質に課される場合に、フィルタ段と発振器段との同調要素の寸法決めにおいて多数の構成要素の使用を必要とする。
【０００４】
【発明が解決しようとする課題】
今までに記載された種類の回路装置において低製造費用で最小数の構成要素を用いることにより、可能なかぎりコンパクトである構造を達成することが、本発明の目的である。
【０００５】
【課題を解決するための手段】
本発明による回路装置においては、同調器が各周波数帶域の無線周波数信号の周波数選択受信と、増幅と周波数変換との双方又はいずれか一方のための少なくとも１個の信号処理分枝を具え、且つ基準振動を発生するための装置（振動発生器）が各信号処理分枝に対して別々の発振器段を具え、これらの発振器段のうちの１個が分波器‐変調器のための基準振動を発生するためにも用いられることにより、この目的が達成される。
【０００６】
本発明による回路装置においては、かくして別々の発振器段が各関連する信号処理分枝において各周波数帶域のために用いられる。この段はこの信号処理分枝のフィルタ段に対して最善に適合され得る。異なる周波数帶域に対する異なる信号処理分枝のフィルタ段に対する、唯一の発振器段の非常に精密な適合がこれにより回避される。これに反して、発振器段のうちの１個が必要な搬送波振動を供給するための変調器に対しても用いられる。変調器が無線周波数出力信号を供給しなくてはならない周波数帶域に依存して、同調器内に複数の信号処理分枝と複数の周波数帶域とがある場合に、変調器は適切な発振器段へ接続され得る。この回路装置の動作は、同調器又は変調器のいずれかのみが運転されることにより特に単純化される。しかしながら、本発明は同時運転の可能性を与える。
【０００７】
【発明の実施の形態】
これらの態様が以下に記載される実施例から明らかになるであろうし、その他の態様が以下に記載される実施例を参照して説明されるであろう。
【０００８】
図１は同調器 101、変調器 102、及び分波器 103の組合せを示しており、その中で変調器 102と分波器 103とが分波器‐変調器を形成するために組み合わされている。無線周波数入力信号、例えばテレビジョン信号が、無線周波数信号入力端子 104を介して、アンテナから分波器 103へ印加され得る。この信号が第１前置増幅器 105を介して第１信号分波器 106へ印加され、且つこの分波器から第１ライン 107へ、及び第２前置増幅器 108を介して第２信号分波器 109へ印加される。この信号は無線周波数出力端子 110を介して分波器から供給され得る。
【０００９】
無線周波数入力信号は、第１ライン 107を通って同調器 101へ印加され、同調器内では周波数選択 111、振幅制御 112、及びダウン変換 113がこの目的のために慣習的に用いられる段により、慣習的に実行される。中間周波数信号が出力増幅器14を介して供給される。同調器 101と関係し、且つ位相ロックループ 115と発振器段 116とを具えている振動発生器からの基準振動が、周波数選択段 111とダウン変換段 113へ慣習的な方法で印加される。位相ロックループ 115が同調器 101を同調する目的にために、制御ライン 117、好適には I2Cバスを介して制御できる。
【００１０】
変調器 102は既知のオーディオ信号変調器33を具えており、それのオーディオ信号入力端子32が、音声搬送波振動上で変調されたオーディオベースバンド信号を受信できる。変調されたオーディオ信号が、入力端子30を介して供給されたベースバンドビデオ信号上に、低周波数信号重畳段31において重畳される。かくして得られたFBAS信号が変調器段35において無線周波数搬送波振動上で変調され、その振動は変調器 102の振動発生器において発生され、その振動発生器は第２位相ロックループ 123と第２発振器段 124とを具えている。原理的には変調器 102の振動発生器123, 124は、同調器 101に対する構造と同じ構造を有している。特に、双方の振動発生器115, 116及び123, 124は、単一水晶発振器により制御されるが、一方振動と低オーミック結合とを増幅するためのトランジスタ結合段 126が、水晶発振器22と第２位相ロックループ 123との間に配設されてもよい。
【００１１】
第２ライン 127が、変調器 102の無線周波数出力信号を変調器段35から分波器 103の第２信号分波器 109へ供給し、その分波器を介して無線周波数出力信号が無線周波数信号出力端子 110へ到達する。
【００１２】
図２に示された実施例は、無線周波数信号用の入力端子２へ入力端子においてと切換段３へ出力端子において接続された広帯域幅入力増幅器１と、前記切換段３へ接続され且つ信号接合点により終わらされる、３個の信号処理分枝とを具えている。図２における各信号処理分枝は、切換段３へ接続されたフィルタ段４，５及び６と、それらのフィルタ段４，５及び６へ接続された可制御増幅器段７，８及び９、及び関連する可制御増幅器段７，８及び９へ接続されたミクサ段10, 11及び12をそれぞれ具えている。無線周波数信号は、信号処理分枝のうちの一つへ任意に、広帯域幅入力増幅器と切換段３とを介して、入力端子２から印加される。その信号処理分枝において、その信号処理分枝において、信号処理分枝と関連する所望の周波数帶域がフィルタ段４，５又は６において選択される。可制御増幅器段７，８，９を介して、濾波された周波数帶域のみの無線周波数信号がミクサ段10, 11及び12へ印加され、且つミクサ段10, 11及び12において周波数がダウン変換される。結合点13と出力増幅器14とにより図２の装置で形成された信号接合点が、ダウン変換された無線周波数信号が共通出力端子15へ供給されることを可能にする。この信号接合点は代わりに結合点のみを具えてもよく、出力端子15と一緒に、その時出力増幅器14が全部の信号処理分枝に対して共通である出力分枝と関連する。
【００１３】
無線周波数をダウン変換するために必要な振動を発生するために、共通振動発生器が図２の装置においては用いられて、その振動発生器は、全部の信号処理分枝に対して共通である位相ロックループ16と、各信号処理分枝に対して別々の発振器段17, 18, 19とを具えている。位相ロックループ16と発振器段17, 18, 19とは既知の方法で相互接続されている。信号処理分枝間の混信を除外するために、発振器段17, 18, 19がデータライン20を介して任意にスイッチオン又はオフさてもよいので、一つの振動のみが（入力増幅器１を介して）入力端子２へ切換段３を介して信号処理分枝が接続さている発振器段17, 18, 19により供給される。その時データライン20も同じ方法で切換段３へ接続され得る。更に、振動発生器17〜19により供給される振動の周波数は、位相ロックループ16のデータ入力端子21を介して調節できる。振動発生器17〜19は更に周波数基準としての水晶発振器22へも接続さている。
【００１４】
可制御増幅器段７，８，９はその増幅器段７，８，９の利得率がそれを介して調節できる制御入力端子23を有している。その時可制御増幅器段７，８，９は無線周波数信号の振幅又は出力制御のために制御ループないに挿入されてもよい。
【００１５】
位相ロックループ16のデータ入力端子21と同時にデータライン20が同調器の受信機動作のための制御器（図示せず）へ接続されてもよい。
【００１６】
フィルタ段４，５，６は位相ロックループ16のライン24を介して接続されている。このライン24を介して、振動発生器17〜19による周波数選択のための信号は慣習的な方法で供給され得る。特に、フィルタ段４，５，６内の同調ダイオードは発振器段17, 18, 19と同じ方法で同調される。
【００１７】
図２は更にビデオレコーダの無線信号処理ユニットにおける先の実施例に記載された同調器の挿入を示している。この目的のために、図２はビデオレコーダのアンテナ入力端子26への入力端子と無線周波数信号用の同調器の入力端子２への出力端子とで接続されている別の入力増幅器段25を示している。入力端子２は更に無線周波数信号重畳段28の入力端子へ橋絡増幅器27を介して接続されている。無線周波数信号重畳段の出力端子がビデオレコーダのアンテナ出力端子29を構成している。
【００１８】
ベースバンドビデオ信号用の入力端子30が低周波数信号重畳段31の第１入力端子を構成している。オーディオ信号用の入力端子32がオーディオ信号変調器段33へ接続されている。この段は低周波数信号重畳段31の第２入力端子へ接続さている。オーディオ信号変調器段33において、入力端子32から供給されたオーディオ信号が副搬送波振動上で変調され且つ次に付加的に低周波数信号重畳段31においてベースバンドビデオ信号上に重畳される。この方法で、FBAS信号が発生され且つ低周波数信号重畳段31の出力端子34を介して供給される。この出力端子34が変調器段35へ接続されて、その段においてFBAS信号が発振器段のうちの一つ、ここでは第３信号処理分枝用の発振器段19からの振動によりアップ変換される。ビデオレコーダのアンテナ出力端子29へ更に供給するために無線周波数信号重畳段28へ印加される無線周波数信号がそれで産出される。
【００１９】
図２において、破線36内の要素は構成要素の統合された群へ好都合に組み合わされる。対応する方法で、鎖線37内の要素は構成要素の別の統合された群へ組み合わされてもよい。これらの統合された群は半導体本体上に個々に統合されてもよい。
【００２０】
図３は本発明による同調器の第２実施例を示している。図２に示された実施例と比較すると、広帯域幅入力増幅器１が広帯域幅可制御入力増幅器38より置き換えられ、その増幅器は無線周波数信号の振幅及び出力制御の目的のために制御入力端子23へ接続されているだけである。これに反して、信号処理分枝内の可制御増幅器段７，８，９は廃止され、図３の修正においては、それらは別の信号増幅又は反射減衰量減衰がそれらの位置で望まれるかぎり、一定利得率を有する増幅器段によりそれらが置き換えられてもよい。
【００２１】
その他の点では、図２及び３に示された実施例は同じである。
【００２２】
今までに説明された図においては、同調器 101が図２及び３において参照符号３〜13により表された要素を具え、変調器 102が要素30〜35を具え、且つ分波器 103が図２及び３に示された実施例においては要素１，２，25, 27及び28を好適に具えている。図１に示された分波器は信号を分割するのみならず、機能が図２及び３における無線周波数信号重畳段28に対応する第２信号分波器 109によって信号を組み合わせるので、それは分波器‐コンバイナーと呼ばれてもよい。その時第１信号分波器 106が無線周波数信号用の入力端子２の機能を引き継ぐ。更に無線周波数信号入力端子 104がビデオレコーダのアンテナ入力端子26と対応し、第１増幅器 105が別の入力増幅器段25に対応し、第２前置増幅器 108が橋絡増幅器27に対応し、且つ無線周波数信号出力端子 110がビデオレコーダのアンテナ出力端子29に対応する。図１における周波数選択 111は図２及び３におけるフィルタ段４〜６により実行され、且つ振幅制御 112は可制御増幅器段７〜９により実行され、一方ダウン変換 113はミクサ段10〜12において実行される。図２及び３において、データ入力端子21が図１の制御ライン 117の機能を満たす。
【００２３】
本発明は衛星受信機及びビデオレコーダの無線周波数処理段内に好適に用いられる。
【図面の簡単な説明】
【図１】種々の用語を説明するために、欧州特許出願第95 200 961.1に記載されたような回路装置を示している。
【図２】本発明による第１実施例を示している。
【図３】本発明による第２実施例を示している。
【符号の説明】
１  広帯域幅入力増幅器
２  無線周波数信号用の入力端子
３  切換段
４，５，６  フィルタ段
７，８，９  可制御増幅器段
10, 11，12  ミクサ段
13  結合点
14  出力増幅器
15  共通出力端子
16  位相ロックループ
17, 18, 19  発振器段
20  データライン
21  位相ロックループのデータ入力端子
22  水晶発振器
23  制御入力端子
24  位相ロックループのライン
25  入力増幅器段
26  ビデオレコーダのアンテナ入力端子
27  橋絡増幅器
28  無線周波数信号重畳段
29  ビデオレコーダのアンテナ出力端子
30  ベースバンドビデオ信号用の入力端子
31  低周波数信号重畳段
32  オーディオ信号用の入力端子
33  オーディオ信号変調器段
34  低周波数信号重畳段の出力端子
35  変調器段
36  破線
37  鎖線
38  広帯域幅可制御入力増幅器
101   同調器
102   変調器
103   分波器
104   無線周波数信号入力端子
105   第１前置増幅器
106   第１信号分波器
107   第１ライン
108   第２前置増幅器
109   第２信号分波器
110   無線周波数出力端子
111   周波数選択段
112   振幅制御段
113   ダウン変換段
115   位相ロックループ
116   発振器段
117   制御ライン
123   第２位相ロックループ
124   第２発振器段
126   トランジスタ結合段
127   第２ライン
【図１】
0003816995.tif 000002
【図２】
0003816995.tif 000003
【図３】
0003816995.tif 000004